(57)【要約】【課題】屋外式太陽エネルギーのワイヤレス充電装置を提供する。【解決手段】屋外式太陽エネルギーのワイヤレス充電装置１０は、太陽エネルギーモジュール１１と、支持体１２と、蓄電装置１３と、テーブル１４と、少なくとも一つのワイヤレス充電モジュールとを備える。太陽エネルギーモジュール１１は、太陽光を受光するとともに、電気エネルギーを出力するための複数個の太陽電池１１１を備える。支持体１２は太陽エネルギーモジュール１１の下に設けられて、それを支持する。蓄電装置１３は太陽エネルギーモジュール１１に電気的に接続され、電力出力を受けるとともに蓄電する。テーブル１４は、支持体１２の外周に設けられ、充電エリア１４３，１４４，１４５を有する第１の表面を有しており、その充電エリアに置かれた携帯型電子機器２１，２２，２３がワイヤレス充電モジュールによりワイヤレス充電される。【選択図】  図１
0003215929.tif 000002
【実用新案登録請求の範囲】
【請求項１】
太陽光を受光するとともに、電気エネルギーを出力するための複数個の太陽電池を備える太陽エネルギーモジュールと、
前記太陽エネルギーモジュールの下に設けられて、前記太陽エネルギーモジュールを支持するための支持体と、
前記太陽エネルギーモジュールに接続されるとともに、前記電力出力を受けるとともに、前記電力出力から蓄電する蓄電装置と、
前記支持体の外周に設けられ、第１の表面と第２の表面とを有し、該第２の表面は該第１の表面に対向しており、該第１の表面は少なくとも一つの充電エリアを有しており、該少なくとも一つの充電エリアは少なくとも一台の携帯型電子機器を置くためのものであるテーブルと、
前記テーブルに設けられており、しかも前記第１の表面は設定距離を有しており、前記少なくとも一つのワイヤレス充電モジュールは前記少なくとも一つの充電エリアに対向しており、前記蓄電装置に電気的に接続されるとともに、前記少なくとも一台の携帯型電子機器をワイヤレス充電する少なくとも一つのワイヤレス充電モジュールと、
を具備する、屋外式太陽エネルギーのワイヤレス充電装置。
【請求項２】
前記支持体が、地面に固定するための台座を更に備える、請求項１に記載の屋外式太陽エネルギーのワイヤレス充電装置。
【請求項３】
前記蓄電装置が前記台座に設けられる、請求項２に記載の屋外式太陽エネルギーのワイヤレス充電装置。
【請求項４】
前記少なくとも一つのワイヤレス充電モジュールが前記テーブルの前記第２の表面に設けられる、請求項１に記載の太陽エネルギーのワイヤレス充電装置。
【請求項５】
前記少なくとも一つのワイヤレス充電モジュールが前記テーブルの内部に設けられ、且つ前記第２の表面に近接する、請求項１に記載の太陽エネルギーのワイヤレス充電装置。
【請求項６】
前記支持体に設けられるとともに、前記太陽エネルギーモジュールの下にて、照明を提供する照明装置を更に備える、請求項１に記載の屋外式太陽エネルギーのワイヤレス充電装置。
【請求項７】
前記支持体に設けられるとともに、前記太陽エネルギーモジュールの下にて、前記少なくとも一台の携帯型電子機器にインターネット接続を提供するワイヤレスネットワークアクセス装置を更に備える、請求項１に記載の屋外式太陽エネルギーのワイヤレス充電装置。
【請求項８】
前記蓄電装置は、直流型蓄電装置であって、前記太陽エネルギーモジュールの直流電力の出力を受取って、且つ直流電力を前記少なくとも一つのワイヤレス充電モジュールに出力する、請求項１に記載の太陽エネルギーのワイヤレス充電装置。
【請求項９】
前記テーブルの前記第１の表面上に設けられて、少なくとも一台の携帯型電子機器を収容するための少なくとも一つの保管ボックスを更に備える、請求項１に記載の太陽エネルギーのワイヤレス充電装置。
【請求項１０】
前記支持体に設けられるとともに、前記太陽エネルギーモジュールの下にて、空気質をモニタリングする空気モニタリング装置を更に備える、請求項１に記載の屋外式太陽エネルギーのワイヤレス充電装置。
【請求項１１】
前記支持体に設けられるとともに、前記太陽エネルギーモジュールの下にて、前記屋外式太陽エネルギーのワイヤレス充電装置の現場の影像を撮像するためのネットワークカメラを更に備える、請求項１に記載の屋外式太陽エネルギーのワイヤレス充電装置。
【請求項１２】
前記蓄電装置に電気的に接続されて、電動乗物への充電を提供するための複数個の電動乗物充電モジュールを更に備える、請求項１に記載の屋外式太陽エネルギーのワイヤレス充電装置。
【考案の詳細な説明】
【技術分野】
【０００１】
本考案はワイヤレス充電装置に関し、詳細に言えば、屋外式太陽エネルギーのワイヤレス充電装置に関する。
【背景技術】
【０００２】
モバイルネットワーク時代に入り、現代人の日常生活において、ほぼ週に７日、一日２４時間、スマートフォン、スマートウォッチ、タブレットＰＣ、タブレット端末等の携帯型電子機器は常に手放せなくなってきているが、長時間使用することに加えて、これら携帯型電子機器の電池容量に限界があることから、電池を使い切る前に充電スポットを探し出して充電するという電源の需要が派生してきている。
【考案の概要】
【考案が解決しようとする課題】
【０００３】
現在、充電スポットの多くは室内に設けられており、しかも商用電源方式で、使用者に充電サービスを提供している。しかしながら、使用者が長時間外出し、屋外にいる場合、充電スポットが見つからないことがよくあり、かなり大きな不便をもたらしている。
【課題を解決しようとする手段】
【０００４】
本考案は、屋外式太陽エネルギーのワイヤレス充電装置を提供する。一つの実施例において、前記屋外式太陽エネルギーワイヤレス充電装置は、太陽エネルギーモジュールと、支持体と、蓄電装置と、テーブルと、少なくとも一つのワイヤレス充電モジュールとを備える。前記太陽エネルギーモジュールは、太陽光を受光するとともに、電気エネルギーを出力するための複数個の太陽電池を備える。前記支持体は前記太陽エネルギーモジュールの下に設けられて、前記太陽エネルギーモジュールを支持するのに用いられる。前記蓄電装置は前記太陽エネルギーモジュールに電気的に接続され、前記電力出力を受けるとともに、前記電力出力を蓄電する。前記テーブルは、前記支持体の外周に設けられ、第１の表面と第２の表面とを有し、該第２の表面は該第１の表面に対向しており、該第１の表面は少なくとも一つの充電エリアを有しており、該少なくとも一つの充電エリアは少なくとも一台の携帯型電子機器を置くためのものである。前記少なくとも一つのワイヤレス充電モジュールは前記テーブルに設けられており、且つ前記第１の表面とは設定距離を有しており、前記少なくとも一つのワイヤレス充電モジュールは前記少なくとも一つの充電エリアに対向し、前記蓄電装置に電気的に接続されるとともに、前記少なくとも一台の携帯型電子機器をワイヤレス充電する。
【考案の効果】
【０００５】
本考案の屋外式太陽エネルギーのワイヤレス充電装置を利用することで、使用者は携帯している携帯型電子機器を屋外でもワイヤレス充電することができることから、使用者の充電の利便性を向上し、商用電源の接続位置の充電スポットでしか充電できないという制限を受けることはなくなる。太陽エネルギーを利用することで再生可能エネルギーの科学技術でスマートシティのモバイル電源スポットの構築を実現し、大衆のエネルギー需要を満たし、且つ環境に対する汚染を低減することができる。
【図面の簡単な説明】
【０００６】
【図１】本考案の屋外式太陽エネルギーのワイヤレス充電装置の概略図である。
【図２】本考案の屋外式太陽エネルギーのワイヤレス充電装置のテーブルの概略図である。
【図３】本考案の屋外式太陽エネルギーのワイヤレス充電装置のテーブルの一つの実施形態の概略図である。
【考案を実施するための形態】
【０００７】
図１は本考案の屋外式太陽エネルギーのワイヤレス充電装置の概略図を示す。図２は本考案の屋外式太陽エネルギーのワイヤレス充電装置のテーブルの概略図を示す。図１及び図２を合わせて参照する。一つの実施例において、屋外式太陽エネルギーのワイヤレス充電装置１０は、例えば、公園、歩道、地下鉄出口等の屋外に設置される。
【０００８】
前記屋外式太陽エネルギーのワイヤレス充電装置１０は、太陽エネルギーモジュール１１と、支持体１２と、蓄電装置１３と、テーブル１４と、少なくとも一つのワイヤレス充電モジュール１５，１６とを備える。前記太陽エネルギーモジュール１１は、太陽光を受光するとともに、電気エネルギーを出力するための複数個の太陽電池１１１を備える。一つの実施例において、充分な電力を提供するために、前記太陽エネルギーモジュール１１のサイズは長さ約１．６ｍ、幅約１ｍとすることができる。
【０００９】
前記支持体１２は前記太陽エネルギーモジュール１１の下に設けられて、前記太陽エネルギーモジュール１１を支持するのに用いられる。つまり、前記太陽エネルギーモジュール１１は前記支持体１２の頂部に設けられて、高い場所で太陽光を吸収して電力を発生させる。一つの実施例において、前記太陽エネルギーモジュール１１を支持するために、前記支持体１２はスチール材質又はその他硬質の材質とすることができる。前記支持体１２は地面に固定するための台座１２１を更に備えており、前記台座１２１は前記蓄電装置１３を収容して保護し、且つ保守作業者が保守、修理又は運搬しやすくするための収容空間を有している。
【００１０】
前記蓄電装置１３は前記太陽エネルギーモジュール１１に電気的に接続され、前記電力出力を受けるとともに、前記電力出力を蓄電する。一つの実施例において、前記蓄電装置１３は電線で前記太陽エネルギーモジュール１１に接続される。一つの実施例において、前記蓄電装置１３は前記台座１２１に設けられる。一つの実施例において、前記蓄電装置１３は直流型蓄電装置であって、前記太陽エネルギーモジュールの直流電力の出力を受取って、直流電力を前記少なくとも一つのワイヤレス充電モジュール１５，１６に出力する。これによって、前記蓄電装置１３はＡＣ/ＤＣ変換を必要とせず、ＡＣ/ＤＣ変換による電力損失を節約できる。
【００１１】
前記テーブル１４は前記支持体１２の外周に設けられるとともに、前記支持体１２の概ね１／３の部分に設けられており、その高さは概ね成人の腰の位置である。前記テーブル１４は第１の表面１４１と、第２の表面１４２とを有しており、前記第２の表面１４２は前記第１の表面１４１に対向している。一つの実施例において、前記第１の表面１４１は上向きの面であり、前記第２の表面１４２は下向きの面である。前記第１の表面１４１は少なくとも一つの充電エリア１４３，１４４，１４５を有し、前記少なくとも一つの充電エリア１４３，１４４，１４５は少なくとも一台の携帯型電子機器２１，２２，２３を置くためのものである。
【００１２】
前記少なくとも一つのワイヤレス充電モジュール１５，１６は前記テーブル１４に設けられており、且つ前記第１の表面１４１は設定距離Ｄ１を有しており、前記少なくとも一つのワイヤレス充電モジュール１５，１６は前記少なくとも一つの充電エリア１４３，１４４，１４５に対向しており、例えば、前記ワイヤレス充電モジュール１５は前記充電エリア１４３に対向し、前記ワイヤレス充電モジュール１６は前記充電エリア１４４に対向している。前記ワイヤレス充電モジュールの面積は前記充電エリアの面積と概ね同じである。前記少なくとも一つのワイヤレス充電モジュール１５，１６は前記蓄電装置１３に電気的に接続されており、前記蓄電装置１３に蓄電されている電力を利用すると同時に、前記少なくとも一台の携帯型電子機器２１，２２，２３にワイヤレス充電することができ、且つ前記少なくも一台の携帯型電子機器２１，２２，２３はその載置する方向に制限はない。一つの実施例において、前記少なくとも一つのワイヤレス充電モジュール１５，１６は前記蓄電装置１３に電線で接続されている。
【００１３】
一つの実施例において、前記少なくとも一つのワイヤレス充電モジュール１５，１６はコイル式ワイヤレス充電モジュールであることによって、充電効率を向上している。つまり充電可能な面積範囲は、各々の充電エリアで二台以上の携帯型電子機器を載置して同時にワイヤレス充電することができ、且つ前記少なくとも一台の携帯型電子機器２１，２２，２３はその載置する方向に制限はない。前記少なくとも一つのワイヤレス充電モジュール１５，１６は前記テーブル１４の前記第２の表面１４２に設けられることで、前記テーブル１４の前記第１の表面１４１からは前記少なくとも一つのワイヤレス充電モジュール１５，１６は見えないようになり、前記テーブル１４の前記第１の表面１４１に美観的にすっきりとした効果を持たせることができる。
【００１４】
図３は本考案の屋外式太陽エネルギーのワイヤレス充電装置のテーブルの一つの実施形態の概略図を示す。一つの実施例において、前記少なくとも一つのワイヤレス充電モジュール２５，２６は前記テーブル２４の内部に設けられており、且つ前記第２の表面２４２に近接している。同様に、前記少なくとも一つのワイヤレス充電モジュール２５，２６と前記第１の表面２４１は設定距離Ｄ２を有している。前記少なくとも一つのワイヤレス充電モジュール２５，２６は前記テーブル２４の内部に設けられるため、前記少なくとも一つのワイヤレス充電モジュール２５，２６が損傷しないように保護することができる。
【００１５】
本考案の屋外式太陽エネルギーのワイヤレス充電装置は、前記テーブル２４の前記第１の表面２４１上に設けられて、少なくとも一台の携帯型電子機器２１を収容するための少なくとも一つの保管ボックス２８を更に備える。一つの実施例において、前記少なくとも一つの保管ボックス２８はコイン式又は非コイン式の保管ボックスとすることができ、且つ鍵付きの錠シリンダ又はパスワード式の錠シリンダとしてもよい。使用者は、充電時の盗難を防ぐために、少なくとも一台の携帯型電子機器２１を少なくとも一つの保管ボックス２８内に入れて施錠して、ワイヤレス充電を行うことができる。
【００１６】
図１及び図２を再度参照されたい。一つの実施例において、前記少なくとも一台の携帯型電子機器２１，２２，２３はスマートフォン、スマートウォッチ、タブレットＰＣ、タブレット端末、ＰＤＡ等の携帯機器とすることができる。前記少なくとも一台の携帯型電子機器２１，２２，２３はワイヤレス充電器（図示せず）を内蔵するか、又はワイヤレス充電器（図示せず）を外付けすることができることで、前記少なくとも一つのワイヤレス充電モジュール１５，１６が送出した電力を受取ることができる。使用者は前記少なくとも一つの携帯型電子機器２１，２２，２３を前記テーブル１４の前記第１の表面１４１の前記少なくとも一つの充電エリア１４３，１４４，１４５内に置くことになるが、その載置する方向に制限はなく、ワイヤレス充電を行うことができる。
【００１７】
本考案の屋外式太陽エネルギーのワイヤレス充電装置１０は、前記支持体１２に設けられるとともに、前記太陽エネルギーモジュール１１の下にて照明を提供し、夜間又は曇天時に、前記テーブル１４の前記第１の表面１４１の前記少なくとも一つの充電エリア１４３，１４４，１４５の位置を明るく照らすための照明装置１８を更に備える。
【００１８】
本考案の屋外式太陽エネルギーのワイヤレス充電装置１０は、前記支持体１２に設けられるとともに、前記太陽エネルギーモジュール１１の下にて、前記少なくとも一台の携帯型電子機器２１，２２，２３にインターネット接続を提供するワイヤレスネットワークアクセス装置１９を更に備える。
【００１９】
本考案の屋外式太陽エネルギーのワイヤレス充電装置１０は、前記支持体１２に設けられるとともに、前記太陽エネルギーモジュール１１の下にて、空気の質をモニタリングする空気モニタリング装置３１を更に備える。一つの実施例において、前記空気モニタリング装置３１は、空気のＰＭ２.５含有量を測定するためのＰＭ２.５（微小粒子状物質）の気体モニタリング装置とすることができる。
【００２０】
本考案の屋外式太陽エネルギーのワイヤレス充電装置１０は、前記支持体１２に設けられるとともに、前記太陽エネルギーモジュール１１の下にて、前記屋外式太陽エネルギーのワイヤレス充電装置１０の現場の影像を撮像するためのネットワークカメラ３２を更に備える。一つの実施例において、前記ワイヤレスネットワークアクセス装置１９を用いて、前記ネットワークカメラ３２をインターネットに接続し、前記屋外式太陽エネルギーのワイヤレス充電装置１０の現場の映像を保存する。
【００２１】
本考案の屋外式太陽エネルギーのワイヤレス充電装置１０は、前記蓄電装置１３に電気的に接続されて、電動乗物４１，４２への充電を提供するための複数個の電動乗物充電モジュール３３，３４，３５を更に備える。一つの実施例において、電動乗物４１は電動バイクとすることができ、電動乗物４２は電動自転車とすることができ、電動乗物４１，４２はいずれも電池を備えており、これら電動乗物充電モジュール３３，３４，３５は、前記台座１２１に設けられて、電動乗物４１，４２の電池を充電するための充電ソケットとすることができる。
【００２２】
本考案の屋外式太陽エネルギーのワイヤレス充電装置１０を利用することで、使用者は携帯している携帯型電子機器２１，２２，２３を屋外で充電すると同時に、その載置する方向を制限されずに充電することができることから、使用者の充電の利便性を向上し、商用電源の接続位置の充電スポットでしか充電できないという制限を受けることはなくなる。また、太陽エネルギーを利用することで再生可能エネルギーの科学技術でスマートシティのモバイル電源スポットの構築を実現し、大衆のエネルギー需要を満たし、且つ環境に対する汚染を低減することができる。
【００２３】
上記実施例は単に本考案の原理及びその効果を説明するに過ぎず、本考案を限定するものではない。当業者による上記実施例に対する変更及び変更は本考案の技術思想に背くものではない。本考案の権利範囲は別紙の実用新案登録の範囲の通りである。
【符号の説明】
【００２４】
１０ 屋外式太陽エネルギーのワイヤレス充電装置
１１ 太陽エネルギーモジュール
１２ 支持体
１３ 蓄電装置
１４ テーブル
１５，１６  ワイヤレス充電モジュール
１８ 照明装置
１９ ワイヤレスネットワークアクセス装置
２１，２２，２３   携帯型電子機器
２４ テーブル
２５，２６  ワイヤレス充電モジュール
２８ 保管ボックス
３１ 空気モニタリング装置
３２ ネットワークカメラ
３３，３４，３５   電動乗物充電モジュール
４１，４２  電動乗物
１１１      太陽電池
１２１      台座
１４１      第１の表面
１４２      第２の表面
１４３，１４４，１４５    充電エリア
２４１      第１の表面
２４２      第２の表面
【図１】
0003215929.tif 000003
【図２】
0003215929.tif 000004
【図３】
0003215929.tif 000005
【手続補正書】
【提出日】平成30年2月27日(2018.2.27)
【手続補正１】
【補正対象書類名】実用新案登録請求の範囲
【補正対象項目名】全文
【補正方法】変更
【補正の内容】
【実用新案登録請求の範囲】
【請求項１】
太陽光を受光するとともに、電気エネルギーを出力するための複数個の太陽電池を備える太陽エネルギーモジュールと、
前記太陽エネルギーモジュールの下に設けられて、前記太陽エネルギーモジュールを支持するための支持体と、
前記太陽エネルギーモジュールに接続されるとともに、電力出力を受けるとともに、前記電力出力から蓄電する蓄電装置と、
前記支持体の外周に設けられ、第１の表面と第２の表面とを有し、該第２の表面は該第１の表面に対向しており、該第１の表面は少なくとも一つの充電エリアを有しており、該少なくとも一つの充電エリアは少なくとも一台の携帯型電子機器を置くためのものであるテーブルと、
前記テーブルに設けられた少なくとも一つのワイヤレス充電モジュールであって、前記第１の表面とは設定距離を有しており、前記少なくとも一つの充電エリアに対向しており、前記蓄電装置に電気的に接続されるとともに、前記少なくとも一台の携帯型電子機器をワイヤレス充電するワイヤレス充電モジュールと、
を具備する、屋外式太陽エネルギーのワイヤレス充電装置。
【請求項２】
前記支持体が、地面に固定するための台座を更に備える、請求項１に記載の屋外式太陽エネルギーのワイヤレス充電装置。
【請求項３】
前記蓄電装置が前記台座に設けられる、請求項２に記載の屋外式太陽エネルギーのワイヤレス充電装置。
【請求項４】
前記少なくとも一つのワイヤレス充電モジュールが前記テーブルの前記第２の表面に設けられる、請求項１に記載の太陽エネルギーのワイヤレス充電装置。
【請求項５】
前記少なくとも一つのワイヤレス充電モジュールが前記テーブルの内部に設けられ、且つ前記第２の表面に近接する、請求項１に記載の太陽エネルギーのワイヤレス充電装置。
【請求項６】
前記支持体に設けられるとともに、前記太陽エネルギーモジュールの下にて、照明を提供する照明装置を更に備える、請求項１に記載の屋外式太陽エネルギーのワイヤレス充電装置。
【請求項７】
前記支持体に設けられるとともに、前記太陽エネルギーモジュールの下にて、前記少なくとも一台の携帯型電子機器にインターネット接続を提供するワイヤレスネットワークアクセス装置を更に備える、請求項１に記載の屋外式太陽エネルギーのワイヤレス充電装置。
【請求項８】
前記蓄電装置は、直流型蓄電装置であって、前記太陽エネルギーモジュールの直流電力の出力を受取って、且つ直流電力を前記少なくとも一つのワイヤレス充電モジュールに出力する、請求項１に記載の太陽エネルギーのワイヤレス充電装置。
【請求項９】
前記テーブルの前記第１の表面上に設けられて、少なくとも一台の携帯型電子機器を収容するための少なくとも一つの保管ボックスを更に備える、請求項１に記載の太陽エネルギーのワイヤレス充電装置。
【請求項１０】
前記支持体に設けられるとともに、前記太陽エネルギーモジュールの下にて、空気質をモニタリングする空気モニタリング装置を更に備える、請求項１に記載の屋外式太陽エネルギーのワイヤレス充電装置。
【請求項１１】
前記支持体に設けられるとともに、前記太陽エネルギーモジュールの下にて、前記屋外式太陽エネルギーのワイヤレス充電装置の現場の影像を撮像するためのネットワークカメラを更に備える、請求項１に記載の屋外式太陽エネルギーのワイヤレス充電装置。
【請求項１２】
前記蓄電装置に電気的に接続されて、電動乗物への充電を提供するための複数個の電動乗物充電モジュールを更に備える、請求項１に記載の屋外式太陽エネルギーのワイヤレス充電装置。